(57)【要約】【課題】  本発明の医療装置複製装飾品は、患者が現在使用している人工関節に係る医療装置をアクセサリー及び置物等として複製して加工した医療装置複製装飾品にすることにより、手術後の患者に多い脱臼や緩み等を予防し、且つ、再置換手術を遅らせる又は再置換手術をしないで済むように患者に対して意識付けができる医療装置複製装飾品の提供を目的とする。【解決手段】  本発明の医療装置複製装飾品は、患者の体内に装着された医療装置を所定の加工により複製した複製品と、前記複製品を支持する支持部材とを有することを特徴とする。【選択図】  図２
2010224322.tif 000002
【特許請求の範囲】
【請求項１】
患者の体内に装着された医療装置を所定の加工により複製した複製品と、
前記複製品を支持する支持部材とを有することを特徴とする医療装置複製装飾品。
【請求項２】
患者の体内に装着された医療装置を所定の加工により複製した複製品と、
前記複製品を保持する載置部材とを有することを特徴とする医療装置複製装飾品。
【請求項３】
前記医療装置は、人工関節、又は心臓ペースメーカであることを特徴とする請求項１又は請求項２に記載の医療装置複製装飾品。
【発明の詳細な説明】
【技術分野】
【０００１】
本発明は、患者が現在使用している人工関節や心臓ペースメーカ等に係る医療装置をアクセサリー等として複製して加工する医療装置複製装飾品に関する。
【背景技術】
【０００２】
従来、特定の人が使用した物をアクセサリー等に加工して記念品とするものや、故人の骨を焼結加工して形見の品にするものが有る。
【０００３】
上述した記念品には、例えば特許文献１に記載されているように、装飾品本体に人間の乳歯をその装飾物本体に溶け込ませて装飾するように形成することにより、その乳歯の所有者に対して記念になるようにするものがある。
【０００４】
また、上述した形見には、例えば特許文献２に記載されているように、火葬場で焼却処理した人骨や犬猫、及び家畜動物の骨片を焼却し、殺菌消毒した後に粉砕してセメント、及び石膏等を混合して造形型中に注入し、接合剤で硬化等して形成することにより、仏壇に仏像としてお祀りするものがある。
【先行技術文献】
【特許文献】
【０００５】
【特許文献１】特開昭６３−１５４１８９号公報
【特許文献２】特開平０９−３００８９６号公報
【発明の概要】
【発明が解決しようとする課題】
【０００６】
しかしながら、前述の構成では、例えば人工関節を現在使用している患者に対して無理な動作を避けるように意識させることにより、手術後の患者に多い脱臼や緩み等を予防するような効果は無い。
【０００７】
そこで、本発明は前述の技術的な課題に鑑み、患者が現在使用している人工関節に係る医療装置をアクセサリー及び置物等として複製して加工した医療装置複製装飾品にすることにより、手術後の患者に多い脱臼や緩み等を予防し、且つ、再置換手術を遅らせる又は再置換手術をしないで済むように患者に対して意識付けができる医療装置複製装飾品の提供を目的とする。
【課題を解決するための手段】
【０００８】
前述の課題を解決すべく、本発明に係る医療装置複製装飾品は、患者の体内に装着された医療装置を所定の加工により複製した複製品と、前記複製品を支持する支持部材とを有することを特徴とする。
【発明の効果】
【０００９】
本発明に係る医療装置複製装飾品によれば、患者が現在使用している人工関節に係る医療装置をアクセサリー及び置物等として複製して加工した医療装置複製装飾品にすることにより、手術後の患者に多い脱臼や緩み等を予防し、且つ、再置換手術を遅らせる又は再置換手術をしないで済むように患者に対して意識付けができる。さらに、プロスポーツ選手のように怪我による持病を有していて再発の可能性が高い人が、自己の体内に装着している人工関節等の縮小モデル品を身に付けておくことにより、海外遠征中等で掛かり付け医に診察・治療してもらえない場合でも、初診の医療関係者に縮小モデル品を見せることで、治療をスムーズに受けることができる。
【図面の簡単な説明】
【００１０】
【図１】臼蓋と大腿骨に人工関節を装着している状態の一例を示す模式図である。
【図２】本発明の第１の実施形態に係る股の人工関節を身に付けるアクセサリーとして複製して加工した医療装置複製装飾品を示す模式図である。
【図３】本発明の第１の実施形態に係る股の人工関節を置物として複製して加工した医療装置複製装飾品を示す模式図である。
【図４】本発明の第１の実施形態に係る膝の人工関節を身に付けるアクセサリーとして複製して加工した医療装置複製装飾品を示す模式図である。
【図５】本発明の第２の実施形態に係る心臓ペースメーカを身に付けるアクセサリーとして複製して加工した医療装置複製装飾品を示す模式図である。
【発明を実施するための形態】
【００１１】
以下、本発明の医療装置複製装飾品に係る好適な実施形態について図面を参照しながら説明する。なお、本発明の医療装置複製装飾品は、以下の記述に限定されるものではなく、本発明の要旨を逸脱しない範囲において、適宜変更可能である。
【００１２】
［第１の実施形態］
まず、臼蓋１及び大腿骨２に人工関節３を装着して治療する構造について、図１を参照しながら具体的に説明する。なお、図１は臼蓋１と大腿骨２に人工関節３を装着している状態の一例を示す模式図である。
【００１３】
患者の治療において、所定の範囲内で回動可能な人工関節３が、臼蓋１及び大腿骨２の一端部にそれぞれ埋設される。この様な人工関節３は、例えば大腿骨ステム部３Ａ、中間部３Ｂ、回動部３Ｃ、係合部３Ｄ、係合部３Ｅ、及びスクリュー３Ｆから構成される。以下、人工関節３を構成する各構成部材について説明する。大腿骨ステム部３Ａは、略円柱形状部から形成され、大腿骨２に挿入された状態で固定される。また、中間部３Ｂは、略円柱形状部から形成され、臼蓋１と大腿部２が所定の距離を隔てて回動可能なように、大腿骨ステム部３Ａと回動部３Ｃにそれそれ接続している。また、回動部３Ｃは、略球形状部から形成され、係合部３Ｄに回動可能なように挿入されている。また、係合部３Ｄは、回動部３Ｃを覆う様に内部に空洞を有した略半球形状部から形成され、回動部３Ｃの回動動作を支持する。また、係合部３Ｅは、内部に空洞を有した略半球形状部から形成され、係合部３Ｄを覆い、且つ臼蓋１に埋設する様に、臼蓋１と係合部３Ｄに係合する。また、スクリュー３Ｆは、係合部３Ｅを臼蓋１にネジ留めして固定する。なお、このような人工関節３は、患者の状態に応じた仕様のものが適宜選択される。
【００１４】
次に、本発明の実施形態に係る現在使用している医療装置をアクセサリーとして複製して加工する医療装置複製装飾品について、図２を参照しながら具体的に説明する。なお、図２は股の人工関節３を身に付けるアクセサリーとして複製して加工したペンダント型人工股関節複製装飾品１０を示す模式図である。
【００１５】
ペンダント型人工股関節複製装飾品１０は、複製人工股関節ユニット３Ｍ、包含部材４、接続部材５、連結部材６、及び支持部材７から構成される。以下、ペンダント型人工股関節複製装飾品１０を構成する各構成部材について説明する。複製人工股関節ユニット３Ｍは、人工関節３を例えば均等に縮尺した状態で、例えばプラスチックスにより成形する。また、包含部材４は、例えば透明又は薄く着色されたプラスチックや低融点ガラス等の材料を用い、例えば卵形状部に形成する。この様な包含部材４は、複製人工股関節ユニット３Ｍを包含した状態で例えば金型により一体成型する。なお、包含部材４は、内部に空洞を有する例えば卵形状部により形成し、複製人工股関節ユニット３Ｍを収納するように構成しても良い。
【００１６】
また、ペンダント型人工股関節複製装飾品１０を構成する接続部材５は、例えば針金等の材料を用い、接続部材５の一端部を後述する連結部材６に対して例えば円状に囲むように形成する。なお、接続部材５の他端部を例えば所定の温度に加熱した後に、包含部材４に挿入して冷却することにより、包含部材４に対して溶着固定する。また、連結部材６は、例えばステンレス等の材料を用い、例えば略円筒形状部により形成する。この様な連結部材６は、後述する支持部材７により貫通される。また、支持部材７は、例えば紐、鎖、リング、ネックレス、又はブレスレット等であり、人工関節３を装着している人が腕や首などに装着できるように形成する。なお、複製人工股関節ユニット３Ｍを支持部材７に対して直に接続しても良い。
【００１７】
次に、本発明の実施形態に係る現在使用している医療装置を置物として複製して加工する医療装置複製装飾品について、図３を参照しながら具体的に説明する。なお、図３は人工関節３を置物として複製して加工した置物型人工股関節複製装飾品２０を示す模式図である。
【００１８】
置物型人工股関節複製装飾品２０は、複製人工股関節ユニット３Ｎ及び載置部材８から構成される。以下、置物型人工股関節複製装飾品２０を構成する各構成部材について説明する。複製人工股関節ユニット３Ｎは、患者の臼蓋１、大腿骨２、及び人工関節３をを縮小、均等、又は拡大した状態で、例えば透明プラスチックスにより成形する。また、載置部材８は、例えば円形状部、楕円形状部、又は板状部から形成されるベース部８Ａと、ベース部８Ａと複製人工股関節ユニット３Ｎを接続する支持部８Ｂから構成され、例えば木材又はプラスチックにより形成する。なお、情報表示部８Ｃにおいて、人工関節３に係る手術日、患者の氏名、執刀医の氏名、機種名、メーカ名、サイズ、材質、及び病院名等を、刻印機又はレーザマーカ等で記録する。
【００１９】
なお、本発明の実施形態に係る現在使用している医療装置をアクセサリーとして複製して加工する医療装置複製装飾品について、前述した股に関する人工関節３に換えて、膝に関する人工関節を用いた構成について図４を参照しながら具体的に説明する。図４は膝に係る複製人工膝関節ユニット９を身に付けるアクセサリーとして複製して加工したペンダント型人工膝関節複製装飾品３０を示す模式図である。ペンダント型人工膝関節複製装飾品３０では、複製人工股関節ユニット３Ｍに換えて、包含部材４に膝の複製人工膝関節ユニット９を包含した状態で例えば金型により一体成型する。なお、股及び膝に係る人工関節に限定されるものではなく、例えば肩や肘等に係る人工関節としても良い。
【００２０】
以上、本発明の実施形態によれば、現在使用している医療装置をアクセサリー及び置物等として複製して加工した医療装置複製装飾品にすることにより、手術後の患者に多い脱臼や緩み等を予防し、且つ、再置換手術を遅らせる又は再置換手術をしないで済むように患者に対して意識付けができる。また、患者や周囲の者への治療に対する認識が高まるため、人工関節を長持ちさせることができる。さらに、本治療材料を用いた手術の宣伝になり、このような手術を行う病院の利益を向上させることができる。
【００２１】
また、本発明の実施形態によれば、医療装置複製装飾品を、空港等に設置されたセキュリティ対策用の金属探知器によるチェックを受ける際に、自己の体内に金属製の埋設材料が入っていることを金属探知器の検査係員に示すためのアイテムとすることができる。なお、このような場合には、アイテムに執刀医や主治医の署名を入れてもらい、公認の物品として公共機関に認定されるようにする。また、プロスポーツ選手のように怪我による持病を有していて再発の可能性が高い人が、自己の体内に装着している人工関節の縮小モデル品を身に付けておくことにより、海外遠征中等で掛かり付け医に診察・治療してもらえない場合でも、初診の医療関係者に縮小モデル品を見せることで、治療をスムーズに受けることができる。
【００２２】
［第２の実施形態］
次に、本発明の第２の実施形態に係るペンダント型心臓ペースメーカ複製装飾品４０について説明する。なお、本実施形態においては、複製する医療装置に心臓ペースメーカを用いることに特徴を有し、それ以外の医療装置複製装飾品に係る構成は、第１の実施形態で述べたペンダント型人工股関節複製装飾品１０及びペンダント型人工膝関節複製装飾品３０の構成と同様である。そこで、第２の実施形態のペンダント型心臓ペースメーカ複製装飾品４０については、第１の実施形態のペンダント型人工股関節複製装飾品１０及びペンダント型人工膝関節複製装飾品３０と異なる構成を中心にして具体的に説明する。
【００２３】
本発明の第２の実施形態に係る、患者が現在使用している心臓ペースメーカのような医療装置をアクセサリーとして複製して加工する医療装置複製装飾品について、図５を参照しながら具体的に説明する。なお、図５は複製心臓ペースメーカ４１を身に付けるアクセサリーとして複製して加工した医療装置複製装飾品４０を示す模式図である。ペンダント型心臓ペースメーカ複製装飾品４０は、複製心臓ペースメーカ４１、包含部材４、接続部材５、連結部材６、及び支持部材７から構成される。ここで、包含部材４、接続部材５、連結部材６、及び支持部材７は、第１の実施形態で述べたペンダント型人工股関節複製装飾品１０を構成するものと同様である。また、複製心臓ペースメーカ４１は、患者に埋設されている心臓ペースメーカを略均等に縮尺した状態で例えばプラスチックスにより成形する。なお、複製心臓ペースメーカ４１を支持部材７に対して直に接続しても良い。
【００２４】
以上、本発明に係る第２の実施形態によれば、患者が現在使用している心臓ペースメーカのような医療装置を、アクセサリーとして複製して加工した医療装置複製装飾品にすることにより、患者が無理な運動をしないように意識付けができる。また、患者や周囲の者への治療に対する認識が高まるため、心臓ペースメーカを長持ちさせることができる。さらに、本治療材料を用いた手術の宣伝になり、このような手術を行う病院の利益を向上させることができる。また、心臓ペースメーカのような医療装置をペンダントのようなアクセサリーとして複製して加工した医療装置複製装飾品への理解が深まってくれば、電車内等の密閉された場所でペンダントを身に付けている人が近くにいる場合などに、携帯電話の使用防止を無理なく促すことができる。
【００２５】
また、本発明に係る第２の実施形態によれば、医療装置複製装飾品を、空港等に設置されたセキュリティ対策用の金属探知器によるチェックを受ける際に、自己の体内に金属製の埋設材料が入っていることを金属探知器の検査係員に示すためのアイテムとすることができる。なお、このような場合には、アイテムに執刀医や主治医の署名を入れてもらい、公認の物品として公共機関に認定されるようにする。また、特に高齢者の様に体調を崩し易い人が、自己の体内に装着している心臓ペースメーカの縮小モデル品を身に付けておくことにより、遠方に外出中等で掛かり付け医に診察・治療してもらえない場合でも、初診の医療関係者に縮小モデル品を見せることで、治療をスムーズに受けることができる。
【００２６】
なお、上述した第１及び第２の実施形態においては、医療装置をそれぞれ人工関節及び心臓ペースメーカとして説明した。しかし、該医療装置は、医療目的で患者の体内に装着等している、過去に装着等していた、又は将来装着等する可能性があるものであれば良い。従って、医療装置は、上述した人工関節及び心臓ペースメーカに限定されるものではない。
【符号の説明】
【００２７】
１  臼蓋
２  大腿骨
３  人工関節
３Ａ  大腿骨ステム部
３Ｂ  中間部
３Ｃ  回動部
３Ｄ  係合部
３Ｅ  係合部
３Ｆ  スクリュー
３Ｍ  複製人工股関節ユニット
３Ｎ  複製人工股関節ユニット
４  包含部材
５  接続部材
６  連結部材
７  支持部材
８  載置部材
８Ａ  ベース部
８Ｂ  支持部
８Ｃ  情報表示部
９  複製人工膝関節ユニット
１０  ペンダント型人工股関節複製装飾品
２０  置物型人工股関節複製装飾品
３０  ペンダント型人工膝関節複製装飾品
４０  ペンダント型心臓ペースメーカ複製装飾品
４１  複製心臓ペースメーカ
【図１】
2010224322.tif 000003
【図２】
2010224322.tif 000004
【図３】
2010224322.tif 000005
【図４】
2010224322.tif 000006
【図５】
2010224322.tif 000007